(57)【要約】【課題】像消失期間を短縮することができる撮像装置を提供する。【解決手段】撮像装置は、静止画撮影による画素信号の読み出しと動画撮影による画素信号の読み出しとを並行して行うことが可能である。動画撮影の露光開始時刻から静止画撮影の露光期間内の所定の時刻までに画素２８の光電変換素子に蓄積された第１の信号電荷に基づく第１の画素信号と、所定の時刻から動画撮影の露光終了時刻までに画素２８の光電変換素子に蓄積された第２の信号電荷に基づく第２の画素信号とが読み出される。加算器２９は、第１の画素信号と第２の画素信号とを加算し、加算後の画素信号を動画用信号として出力する。【選択図】図２
2012175331.tif 000002
【特許請求の範囲】
【請求項１】
入射した光を信号電荷に変換して蓄積する光電変換素子と、当該光電変換素子に蓄積された前記信号電荷を保持する電荷保持部とを有し、前記信号電荷に基づく画素信号を出力する複数の画素を備えた画素部と、
静止画撮影による前記画素信号の読み出しと動画撮影による前記画素信号の読み出しとを並行して行うことが可能であって、前記画素部から前記画素信号を読み出し、動画撮影の露光開始時刻から静止画撮影の露光期間内の所定の時刻までに前記光電変換素子に蓄積された第１の信号電荷に基づく第１の画素信号と、前記所定の時刻から動画撮影の露光終了時刻までに前記光電変換素子に蓄積された第２の信号電荷に基づく第２の画素信号とを出力する読み出し部と、
前記第１の画素信号と前記第２の画素信号とを加算し、加算後の画素信号を動画用信号として出力する加算部と、
を有することを特徴とする撮像装置。
【請求項２】
前記所定の時刻が静止画撮影の露光開始時刻であることを特徴とする請求項１に記載の撮像装置。
【請求項３】
前記読み出し部は、前記第１の画素信号と前記第２の画素信号とを前記画素部から読み出して出力し、さらに、動画撮影の露光開始時刻から静止画撮影の露光終了時刻までに前記光電変換素子に蓄積された第３の信号電荷に基づく第３の画素信号を前記画素部から読み出して出力し、
前記第１の画素信号と前記第３の画素信号との減算を行い、減算後の画素信号を静止画用信号として出力する減算部をさらに有する
ことを特徴とする請求項２に記載の撮像装置。
【請求項４】
前記所定の時刻が静止画撮影の露光終了時刻であることを特徴とする請求項１に記載の撮像装置。
【請求項５】
前記読み出し部は、第１の動画撮影の露光開始時刻から静止画撮影の露光終了時刻までに前記光電変換素子に蓄積された第３の信号電荷に基づく第３の画素信号を前記画素部から読み出し、第１の動画撮影の露光開始時刻から第２の動画撮影の露光開始時刻までに前記光電変換素子に蓄積された第４の信号電荷に基づく第４の画素信号を読み出し、前記第３の画素信号と前記第４の画素信号との減算を行うことで前記第１の画素信号を生成して出力することを特徴とする請求項４に記載の撮像装置。
【請求項６】
静止画撮影の露光開始時刻が全画素で同一かつ静止画撮影の露光終了時刻が全画素で同一であることを特徴とする請求項２または請求項３に記載の撮像装置。
【発明の詳細な説明】
【技術分野】
【０００１】
本発明は、静止画撮影による画素信号の読み出しと動画撮影による画素信号の読み出しとを並行して行うことが可能な撮像装置に関する。
【背景技術】
【０００２】
近年のデジタルカメラには、ユーザがライブビュー表示で動画像を確認しながら静止画の撮影を行うことが可能な機能を備えたものが多くみられる。この機能を利用して静止画の撮影を行う場合には、一度メカシャッタにより固体撮像装置（撮像素子）の撮像面を遮光した後に静止画の撮影を行うため、レリーズタイムラグと静止画撮影の前後の像消失期間が長くなるといった問題があった。
【０００３】
メカシャッタの動作に起因するレリーズタイムラグや像消失期間を短縮する方法として、特許文献１〜３に示されるような、メカシャッタを用いずに静止画を撮影する方法がある。特許文献１には、５トランジスタ構成のＭＯＳ型イメージャを使ってメカシャッタを用いずにゆがみのない静止画を撮影するグローバルシャッタ機能を実現する方法が開示されている。図１７は、特許文献１に記載されている画素の構成を示している。
【０００４】
図１７に示す画素は、光電変換部ＰＤ（フォトダイオード）と、電荷保持部ＦＤ（フローティングディフュージョン）と、ＰＤ排出トランジスタＭｔｘ２と、転送トランジスタＭｔｘ１と、増幅用トランジスタＭａと、選択トランジスタＭｂ１と、ＦＤリセットトランジスタＭｒとを備えている。
【０００５】
光電変換部ＰＤは、入射した光を信号電荷に変換（光電変換）して蓄積する光電変換素子である。電荷保持部ＦＤは、光電変換部ＰＤから転送される信号電荷を一時的に保持する。ＰＤ排出トランジスタＭｔｘ２は、光電変換部ＰＤをリセットする第１リセット部として機能するトランジスタであり、電源ＶＤＤに接続されていると共に、ＰＤリセットパルスを印加するための信号線ＴＸ２に接続されている。
【０００６】
転送トランジスタＭｔｘ１は、光電変換部ＰＤに蓄積された信号電荷を電荷保持部ＦＤへ転送する転送部として機能するトランジスタであり、転送パルスを印加するための信号線ＴＸ１に接続されている。増幅用トランジスタＭａは、電源ＶＤＤと、垂直信号線ＶＴＬ１に接続された定電流源（図１７では省略）とでソースフォロアアンプを構成しており、電荷保持部ＦＤに蓄積されている信号電荷に基づく電圧を増幅して垂直信号線ＶＴＬ１に出力する。
【０００７】
選択トランジスタＭｂ１は、垂直信号線ＶＴＬ１に接続されていると共に、選択パルスを印加するための信号線ＳＥＬ１に接続されている。信号線ＳＥＬ１に選択パルスが印加されると画素が選択され、電荷保持部ＦＤに蓄積されている信号電荷に基づく電圧が増幅用トランジスタＭａで増幅され、垂直信号線ＶＴＬ１に出力される。
【０００８】
ＦＤリセットトランジスタＭｒは、電荷保持部ＦＤをリセットする第２リセット部として機能するトランジスタであり、ＦＤリセットパルスを印加するための信号線ＲＥＳに接続されている。上述した転送トランジスタＭｔｘ１への転送パルスの印加と、このＦＤリセットトランジスタＭｒへのＦＤリセットパルスの印加とを同時に行えば、電荷保持部ＦＤをリセットすることができるだけでなく、同時に光電変換部ＰＤをリセットすることができる。
【０００９】
上記の構成を有する画素から、電荷保持部ＦＤをリセットしたときの電荷保持部ＦＤの電位に基づくリセット信号と、光電変換部ＰＤから信号電荷が電荷保持部ＦＤに転送された後の電荷保持部ＦＤの電位に基づく光信号とが出力される。そして、出力された光信号とリセット信号との差分処理を行うことで、光電変換部ＰＤに蓄積された信号電荷に対応する画像信号を得ることができる。
【００１０】
特許文献１に記載されている駆動シーケンスを以下に示す。
（１）電荷保持部ＦＤがＦＤリセットトランジスタＭｒによりリセットされ、増幅用トランジスタＭａ、選択トランジスタＭｂ１を介して、リセット信号がライン毎に順次走査して読み出され、記憶される。
（２）全画素の光電変換部ＰＤがＰＤ排出トランジスタＭｔｘ２によって一括でリセットされることにより全画素一括で露光が開始され、所定の露光時間が経過した後に、転送トランジスタＭｔｘ１を介して全画素の光電変換部ＰＤの信号電荷が一括で電荷保持部ＦＤへ転送されることにより全画素一括で露光が終了する。
（３）増幅用トランジスタＭａ、選択トランジスタＭｂ１を介して、光信号がライン毎に順次走査して読み出され、光信号と（１）において記憶しておいたリセット信号との差分をとった信号が画像信号として出力される。
【００１１】
特許文献２には、（１）と（２）の駆動の順番を入れ替えて、リセット信号を読み出す前に露光開始を行うことでレリーズタイムラグを短縮する方法が開示されている。また、特許文献３には、静止画の露光開始時においてメカシャッタを用いる代わりに行ごとに画素のリセット走査を行って露光を開始することによりレリーズタイムラグを短縮する方法が開示されている。
【先行技術文献】
【特許文献】
【００１２】
【特許文献１】特開２００５−６５１８４号公報
【特許文献２】特開２００８−２８５１７号公報
【特許文献３】特許第３９８８２１５号公報
【発明の概要】
【発明が解決しようとする課題】
【００１３】
しかしながら、特許文献１〜３に示されるような手法を用いることで、メカシャッタの動作に起因するレリーズタイムラグや像消失期間を短縮することができても、ライブビュー（動画）撮影モードから静止画撮影モードへのモード移行時の駆動に起因するレリーズタイムラグや像消失期間を短縮することができない。静止画撮影の指示が与えられてライブビュー撮影モードから静止画撮影モードへモードが移行する際の駆動方法について、以下に２通りの方法［（Ｊ１）、（Ｊ２）］を示し、レリーズタイムラグと像消失期間の両方を同時には短縮できない理由を示す。
【００１４】
（Ｊ１）撮影中の１フレーム分のライブビュー画像の露光・読み出しを完了した後にライブビュー撮影モードから静止画撮影モードにモードが移行する場合
（Ｊ２）撮影中の１フレーム分のライブビュー画像の露光・読み出しを中断してからライブビュー撮影モードから静止画撮影モードにモードが移行する場合
【００１５】
（Ｊ１）の場合の固体撮像装置の駆動を、図１８を用いて説明する。画素構成は図１７と同じである。
【００１６】
図１８の横軸は時間を示し、縦軸は画素部に配列された画素の垂直方向（行方向）の位置を示す。横（水平）方向に伸びる矢印は露光期間を表す。図中の左上から右下へ斜め方向に伸びる矢印のうち、矢印Ａ１と同種の線で示されたものは、光電変換部ＰＤおよび電荷保持部ＦＤのリセットを行毎に行うリセット走査を示す。矢印Ａ２と同種の線で示されたものは、ライブビュー撮影によるライブビュー用（動画用）画像信号の読み出しを示す。矢印Ａ３は、静止画用のリセット信号の読み出しを示す。矢印Ａ４は、静止画用の光信号の読み出しを示す。図中の縦（垂直）方向に伸びる線Ｌ１は静止画撮影の一括露光開始時刻を示し、線Ｌ２は静止画撮影の一括露光終了時刻を示す。
【００１７】
図１８は、ライブビュー撮影中に静止画の撮影指示が与えられ、静止画の撮影動作が行われる場合の動作を示している。ライブビュー撮影モードでは光電変換部ＰＤと電荷保持部ＦＤのリセット走査が行われることで露光が開始され、ライブビュー用画像信号が読み出されると共に露光が終了する。
【００１８】
静止画撮影モードでは全画素一括で光電変換部ＰＤがリセットされることで露光が開始され、光電変換部ＰＤに蓄積された信号電荷が全画素一括で電荷保持部ＦＤに転送されることで露光が終了する。リセット信号の読み出しは露光開始後に行われ、光信号の読み出しは露光終了後に行われ、リセット信号と光信号の差分が静止画用画像信号として読み出される。
【００１９】
ここで、３フレーム目のライブビュー撮影中に静止画の撮影指示が与えられた場合、静止画撮影は３フレーム目のライブビュー撮影が完了した後に行われる。したがって、レリーズタイムラグと像消失期間は、図１８中に示した期間に発生する。レリーズタイムラグは、３フレーム目のライブビュー撮影が完了するのを待つための時間が原因となる。
【００２０】
次に、（Ｊ２）の場合の固体撮像装置の駆動を、図１９を用いて説明する。画素構成は図１７と同じである。ここでは、静止画の撮影指示が与えられると、ライブビュー撮影が中断され、静止画撮影が行われる。それゆえ、（Ｊ２）の場合には、レリーズタイムラグが（Ｊ１）の場合よりも短くなるが、（Ｊ１）の場合よりも、中断されたライブビュー撮影の駆動時間分だけ像消失期間が長くなる。
【００２１】
本発明は、上述した課題に鑑みてなされたものであって、像消失期間を短縮することができる撮像装置を提供することを目的とする。
【課題を解決するための手段】
【００２２】
本発明は、入射した光を信号電荷に変換して蓄積する光電変換素子と、当該光電変換素子に蓄積された前記信号電荷を保持する電荷保持部とを有し、前記信号電荷に基づく画素信号を出力する複数の画素を備えた画素部と、静止画撮影による前記画素信号の読み出しと動画撮影による前記画素信号の読み出しとを並行して行うことが可能であって、前記画素部から前記画素信号を読み出し、動画撮影の露光開始時刻から静止画撮影の露光期間内の所定の時刻までに前記光電変換素子に蓄積された第１の信号電荷に基づく第１の画素信号と、前記所定の時刻から動画撮影の露光終了時刻までに前記光電変換素子に蓄積された第２の信号電荷に基づく第２の画素信号とを出力する読み出し部と、前記第１の画素信号と前記第２の画素信号とを加算し、加算後の画素信号を動画用信号として出力する加算部と、を有することを特徴とする撮像装置である。
【００２３】
また、本発明の撮像装置において、前記所定の時刻が静止画撮影の露光開始時刻であることを特徴とする。
【００２４】
また、本発明の撮像装置において、前記読み出し部は、前記第１の画素信号と前記第２の画素信号とを前記画素部から読み出して出力し、さらに、動画撮影の露光開始時刻から静止画撮影の露光終了時刻までに前記光電変換素子に蓄積された第３の信号電荷に基づく第３の画素信号を前記画素部から読み出して出力し、前記第１の画素信号と前記第３の画素信号との減算を行い、減算後の画素信号を静止画用信号として出力する減算部をさらに有することを特徴とする。
【００２５】
また、本発明の撮像装置において、前記所定の時刻が静止画撮影の露光終了時刻であることを特徴とする。
【００２６】
また、本発明の撮像装置において、前記読み出し部は、第１の動画撮影の露光開始時刻から静止画撮影の露光終了時刻までに前記光電変換素子に蓄積された第３の信号電荷に基づく第３の画素信号を前記画素部から読み出し、第１の動画撮影の露光開始時刻から第２の動画撮影の露光開始時刻までに前記光電変換素子に蓄積された第４の信号電荷に基づく第４の画素信号を読み出し、前記第３の画素信号と前記第４の画素信号との減算を行うことで前記第１の画素信号を生成して出力することを特徴とする。
【００２７】
また、本発明の撮像装置において、静止画撮影の露光開始時刻が全画素で同一かつ静止画撮影の露光終了時刻が全画素で同一であることを特徴とする。
【発明の効果】
【００２８】
本発明によれば、動画撮影の露光開始時刻から静止画撮影の露光期間内の所定の時刻までに光電変換素子に蓄積された第１の信号電荷に基づく第１の画素信号と、当該所定の時刻から動画撮影の露光終了時刻までに光電変換素子に蓄積された第２の信号電荷に基づく第２の画素信号とを加算し、加算後の画素信号を動画用信号として出力することによって、静止画撮影の露光期間と少なくとも一部が重なる期間に光電変換素子に蓄積された信号電荷に基づく動画用信号が得られる。したがって、静止画撮影中に動画撮影を行うことが可能となり、像消失期間を短縮することができる。
【図面の簡単な説明】
【００２９】
【図１】本発明の第１の実施形態による撮像装置の構成を示すブロック図である。
【図２】本発明の第１の実施形態における撮像部の構成を示すブロック図である。
【図３】本発明の第１の実施形態における画素の構成を示す回路図である。
【図４】本発明の第１の実施形態におけるノイズ除去部の構成を示すブロック図である。
【図５】本発明の第１の実施形態による撮像装置の動作を示すタイミングチャートである。
【図６】本発明の第１の実施形態における画素の駆動タイミングを示すタイミングチャートである。
【図７】本発明の第１の実施形態における画素の駆動タイミングを示すタイミングチャートである。
【図８】本発明の第１の実施形態における画素の駆動タイミングを示すタイミングチャートである。
【図９】本発明の第１の実施形態における画素の駆動タイミングを示すタイミングチャートである。
【図１０】本発明の第１の実施形態における画素の駆動タイミングを示すタイミングチャートである。
【図１１】本発明の第１の実施形態における各信号に対応する露光期間を示すタイミングチャートである。
【図１２】本発明の第２の実施形態における撮像部の構成を示すブロック図である。
【図１３】本発明の第２の実施形態におけるノイズ除去部の構成を示すブロック図である。
【図１４】本発明の第２の実施形態による撮像装置の動作を示すタイミングチャートである。
【図１５】本発明の第２の実施形態における画素の駆動タイミングを示すタイミングチャートである。
【図１６】本発明の第２の実施形態における各信号に対応する露光期間を示すタイミングチャートである。
【図１７】従来の画素の構成を示す回路図である。
【図１８】従来の固体撮像装置の動作を示すタイミングチャートである。
【図１９】従来の固体撮像装置の動作を示すタイミングチャートである。
【発明を実施するための形態】
【００３０】
以下、図面を参照し、本発明の実施形態を説明する。
【００３１】
（第１の実施形態）
［構成］
まず、本発明の第１の実施形態を説明する。図１は、本実施形態による撮像装置の構成を示している。この撮像装置は、図１に示すように、レンズ１と、撮像部２ａと、画像処理部３と、ＡＦ評価値演算部４と、表示部５と、駆動制御部９と、ＡＦ制御部１０と、カメラ操作部１１と、カメラ制御部１２とを備えている。なお、図１にはメモリカード６も記載されているが、このメモリカード６を撮像装置に対して着脱可能に構成することによって、メモリカード６は撮像装置に固有の構成でなくても構わない。
【００３２】
レンズ１は、撮像部２ａの撮像素子２１（図２参照）の撮像面に被写体の光学像を結像するための撮影レンズである。撮像部２ａは、レンズ１により結像された被写体の光学像を光電変換して画素信号を生成し、後述するようにデジタルの画像信号に変換してから出力する。この撮像部２ａは、少なくとも、全画素の露光開始時刻および露光終了時刻を同一とするグローバルシャッタによる動作を行い得るように構成されている。これに加え、撮像部２ａは、例えば行単位（または画素単位）で順次露光を行うローリングシャッタによる動作を行い得るように構成されている。
【００３３】
画像処理部３は、撮像部２ａから出力される画像信号に種々のデジタル的な画像処理を施す。この画像処理部３は、静止画用画像信号を記録用に処理する第１画像処理部３ａと、ライブビュー用画像信号（動画用画像信号）を表示用に処理する第２画像処理部３ｂとを備えている。
【００３４】
ＡＦ評価値演算部４は、撮像部２ａから出力される画像信号（例えば、画像信号中の輝度信号あるいは輝度相当信号など）に基づいて、被写体への合焦の度合いを示すＡＦ評価値を算出する。このＡＦ評価値演算部４により算出されたＡＦ評価値は、カメラ制御部１２へ出力される。
【００３５】
表示部５は、画像処理部３の第２画像処理部３ｂにより表示用に画像処理された画像信号に基づき、画像を表示する。この表示部５は、静止画像を再生表示することができると共に、撮像動作に同期して被撮像範囲の画像をリアルタイムに表示するライブビュー（動画）表示を行うことができるようになっている。
【００３６】
メモリカード６は、画像処理部３の第１画像処理部３ａにより記録用に画像処理された信号を保存するための記録媒体である。駆動制御部９は、カメラ制御部１２からの指令に基づいて、撮像部２ａの駆動制御を行う。ＡＦ制御部１０は、ＡＦ評価値演算部４により算出されたＡＦ評価値を受けたカメラ制御部１２が行う制御に基づいて、レンズ１に含まれるフォーカスレンズを駆動し、撮像部２ａに結像される被写体像が合焦されるように制御を行う。
【００３７】
カメラ操作部１１は、ユーザが撮像装置に対する各種の操作入力を行うための操作用の各種部材を有し、操作入力の結果に基づく信号をカメラ制御部１２へ出力する。このカメラ操作部１１に含まれる操作部材の例としては、撮像装置の電源をオン／オフするための電源スイッチ、静止画撮影の指示を入力するための２段式押圧ボタンからなるレリーズボタン、撮影モードを単写モードと連写モードとの間で切り換えるための撮影モードスイッチ、ＡＦモードをシングルＡＦモードとコンティニュアスＡＦモードとの間で切り換えるためのＡＦモードスイッチなどが挙げられる。
【００３８】
カメラ制御部１２は、ＡＦ評価値演算部４からのＡＦ評価値、カメラ操作部１１からの操作入力などに基づいて、画像処理部３、メモリカード６、駆動制御部９、ＡＦ制御部１０等を含むこの撮像装置全体を制御する。
【００３９】
図２は、本実施形態における撮像部２ａの構成を示している。本実施形態の撮像部２ａは、２つの出力系統を用いて、画素部２４から出力される画素信号の読み出しを並行して行う、いわゆる多線読み出しが可能な撮像部として構成されている。この撮像部２ａは、例えば、ＭＯＳ型の固体撮像素子として構成された撮像素子２１と、Ａ／Ｄ変換器２２ａと、Ａ／Ｄ変換器２２ｂと、ノイズ除去部２３ａと、加算器２９（加算部）とを備えている。撮像素子２１は、画素部２４と、ＣＤＳ回路２５と、垂直制御回路２６と、水平走査回路２７ａと、水平走査回路２７ｂとを備えている。
【００４０】
画素部２４は、複数の画素２８を行方向および列方向に２次元状に配列して構成されている。画素部２４の各画素２８は、レンズ１により結像された被写体の光学像を光電変換し、その信号を垂直制御回路２６の制御に基づいて、水平走査回路２７ａ、あるいは、ＣＤＳ回路２５に出力する。
【００４１】
図３は画素２８の具体的な構成を示している。画素２８は、図１７に示した構成に加え、選択トランジスタＭｂ２を備えている。以下では、選択トランジスタＭｂ１を第1の選択トランジスタ、選択トランジスタＭｂ２を第２の選択トランジスタと呼ぶことにする。
【００４２】
第２の選択トランジスタＭｂ２は、垂直信号線ＶＴＬ２に接続されると共に、選択パルスを印加するための信号線ＳＥＬ２に接続されている。垂直信号線ＶＴＬ２には定電流源が接続されており（図３では省略）、増幅用トランジスタＭａとでソースフォロアアンプを構成する。信号線ＳＥＬ２に選択パルスが印加されると画素２８が選択され、電荷保持部ＦＤに蓄積されている信号電荷に基づく電圧が増幅用トランジスタＭａで増幅され、垂直信号線ＶＴＬ２に出力される。他の構成は、図１７に示した構成と同様なので、説明を省略する。
【００４３】
垂直制御回路２６は、画素部２４に配列された画素２８に行単位で各種制御信号を出力することによって、画素２８の選択動作や、露光動作、信号の読み出し動作を制御する。垂直制御回路２６が出力する制御信号は、図３の信号線ＴＸ１，ＴＸ２，ＲＥＳ，ＳＥＬ１，ＳＥＬ２を介して画素２８に供給される。垂直制御回路２６が出力する制御信号によって選択された行の画素２８から出力される画素信号は、列ごとに設けられている垂直信号線ＶＴＬ１または垂直信号線ＶＴＬ２の何れか選択された方へ出力される。垂直信号線ＶＴＬ１に出力された画素信号は水平走査回路２７ａへ出力される。垂直信号線ＶＴＬ２に出力された画素信号はＣＤＳ回路２５へ出力される。
【００４４】
以下、垂直信号線ＶＴＬ１を介して画素部２４から光信号あるいはリセット信号を読み出す第１の読み出し部と、垂直信号線ＶＴＬ２を介して画素部２４から光信号あるいはリセット信号を読み出す第２の読み出し部との２つの系についてそれぞれ分けて説明する。第１の読み出し部は、水平走査回路２７ａと、Ａ／Ｄ変換器２２ａと、ノイズ除去部２３ａとで構成されている。第２の読み出し部は、ＣＤＳ回路２５と、水平走査回路２７ｂと、Ａ／Ｄ変換器２２ｂとで構成されている。
【００４５】
垂直信号線ＶＴＬ１に出力された信号は、第１の読み出し部によって読み出されて、静止画用出力端子を介して撮像部２ａから出力されるか、あるいは、第１の読み出し部によって読み出されて加算器２９に出力される。水平走査回路２７ａは、垂直信号線ＶＴＬ１に出力された1行分の画素信号を水平方向に順次Ａ／Ｄ変換器２２ａに出力する。Ａ／Ｄ変換器２２ａは、水平走査回路２７ａから出力されたアナログの画素信号をデジタルの画素信号に変換し、ノイズ除去部２３ａに出力する。
【００４６】
ノイズ除去部２３ａは、Ａ／Ｄ変換器２２ａから出力された２種類の画素信号の差分をとった差分信号を静止画用出力端子、または、加算器２９に出力する。図４はノイズ除去部２３ａの具体的な構成を示している。ノイズ除去部２３ａは、減算器２３１（減算部）とフレームメモリ２３２とを備えている。
【００４７】
フレームメモリ２３２は、Ａ／Ｄ変換器２２ａから出力された第１の画素信号（例えばリセット信号）を記憶する。減算器２３１は、Ａ／Ｄ変換器２２ａから出力された第２の画素信号（例えば光信号）から、フレームメモリ２３２に記憶された第１の画素信号を減算し、減算処理後の信号（例えば画像信号）を静止画用出力端子、あるいは、加算器２９に出力する。
【００４８】
垂直信号線ＶＴＬ２に出力された信号は、第２の読み出し部によって読み出されて、加算器２９を経由して、ライブビュー用出力端子に出力される。ＣＤＳ回路２５は、画素部２４から垂直信号線ＶＴＬ２に出力された２種類の画素信号を異なるタイミングでサンプリングして、それらの差分をとった信号を水平走査回路２７ｂに出力する。例えば、ＣＤＳ回路２５は、光信号とリセット信号をそれぞれサンプリングすることで、その差分をとった信号を水平走査回路２７ｂに出力する。
【００４９】
水平走査回路２７ｂは、ＣＤＳ回路２５から出力された１行分の画素信号を水平方向に順次Ａ／Ｄ変換器２２ｂに出力する。Ａ／Ｄ変換器２２ｂは、撮像素子２１から出力されたアナログの画素信号をデジタルの画素信号に変換し、加算器２９に出力する。加算器２９は、ノイズ除去部２３ａから出力された信号とＡ／Ｄ変換器２２ｂから出力された信号とを加算し、加算処理後の画像信号をライブビュー用出力端子に出力する。
【００５０】
ライブビュー用出力端子は、ライブビュー用画像信号を出力する端子である。ライブビュー用出力端子から出力された画像信号は、画像処理部３の第２画像処理部３ｂで処理される。静止画用出力端子は、静止画用画像信号を出力する端子である。静止画用出力端子から出力された画像信号は、画像処理部３の第１画像処理部３ａで処理される。
【００５１】
［駆動］
図５を用いて、本実施形態における撮像装置の駆動方法を説明する。図５の横軸は時間を示し、縦軸は画素部２４に配列された画素２８の垂直方向（行方向）の位置を示す。横（水平）方向に伸びる矢印は露光期間を表す。以下、ライブビュー撮影の露光時間をＴｉｎｔ１、静止画の露光時間をＴｉｎｔ２とする。
【００５２】
図中の左上から右下へ斜め方向に伸びる各矢印は、画素２８からの画素信号が行ごとに撮像素子２１から読み出されるタイミングを表す。以下では、撮像素子２１からの画素信号の読み出しを読み出し１〜５に分けて説明する。縦（垂直）方向に伸びる線は、光電変換部ＰＤから電荷保持部ＦＤへの信号電荷の一括転送のタイミングを示す。以下、読み出し１〜５と一括転送１，２の駆動方法を時間経過の順に説明する。以下では、ｉ行目で読み出し１を行う期間を期間Ｔ１とし、ｉ行目で読み出し２を行う期間を期間Ｔ２とし、ｉ行目で一括転送１を行う期間を期間Ｔ３とし、ｉ行目で読み出し３を行う期間を期間Ｔ４とし、ｉ行目で読み出し４を行う期間を期間Ｔ５とし、ｉ行目で一括転送２を行う期間を期間Ｔ６とし、ｉ行目で読み出し５を行う期間を期間Ｔ７とする。
【００５３】
・読み出し１
読み出し１の動作を説明する。図６は、ｉ−１，ｉ，ｉ＋１行目の画素２８の駆動タイミングを表している。ＲＥＳ＿ｉは、画素部２４のｉ行目に配列された各画素２８のＦＤリセットトランジスタＭｒに信号線ＲＥＳを介して印加されるＦＤリセットパルスを表す。Ｔｘ２＿ｉは、画素部２４のｉ行目に配列された各画素２８のＰＤ排出トランジスタＭｔｘ２に信号線ＴＸ２を介して印加されるＰＤリセットパルスを表す。Ｔｘ１＿ｉは、画素部２４のｉ行目に配列された各画素２８の転送トランジスタＭｔｘ１に信号線ＴＸ１を介して印加される転送パルスを表す。ＳＥＬ１＿ｉは、画素部２４のｉ行目に配列された各画素２８の第１の選択トランジスタＭｂ１に信号線ＳＥＬ１＿ｉを介して印加される選択パルスを表す。ＳＥＬ２＿ｉは、画素部２４のｉ行目に配列された各画素２８の第２の選択トランジスタＭｂ２に信号線ＳＥＬ２＿ｉを介して印加される選択パルスを表す。各パルスの表記は、以降の図でも同様である。
【００５４】
ｉ行目に配列された各画素２８のＦＤリセットトランジスタＭｒに信号線ＲＥＳ＿ｉを介してＦＤリセットパルスが印加され、同時に、ｉ行目に配列された各画素２８の転送トランジスタＭｔｘ１に信号線Ｔｘ１＿ｉを介して転送パルスが印加されることで、光電変換部ＰＤと電荷保持部ＦＤがリセットされる。その後、ｉ行目に配列された各画素２８の第１の選択トランジスタＭｂ１に信号線ＳＥＬ１＿ｉを介して選択パルスが印加されることで、電荷保持部ＦＤの信号レベルが、垂直信号線ＶＴＬ１、水平走査回路２７ａを介して読み出される。この動作が順次１行ずつ行われることで、読み出し１が行われる。読み出し１によって読み出された信号は電荷保持部ＦＤのリセット信号であり、この信号を信号１とする。
【００５５】
・読み出し２
読み出し２の動作を説明する。読み出し２の動作は、各画素２８について、読み出し１の動作が行われてから時間Ｔｉｎｔ１が経過した後に開始される。図７はｉ−１，ｉ，ｉ＋１行目の画素２８の駆動タイミングを表している。
【００５６】
ｉ行目に配列された各画素２８の第２の選択トランジスタＭｂ２_ｉに信号線ＳＥＬ２_ｉを介して選択パルスが印加されることで、ｉ行目に配列された各画素２８が選択される。また、同時に、ｉ行目に配列された各画素２８のＦＤリセットトランジスタＭｒに信号線ＲＥＳ_ｉを介してＦＤリセットパルスが印加されることで電荷保持部ＦＤがリセットされる。そして、リセット後の電荷保持部ＦＤの信号レベルがＣＤＳ回路２５でサンプリングされる。ここで、図７中の破線の矢印は、このサンプリングのタイミングを表す。
【００５７】
その後、ｉ行目に配列された各画素２８の転送トランジスタＭｔｘ１に信号線Ｔｘ１_ｉを介して転送パルスが印加されることで、光電変換部ＰＤに蓄積された信号電荷が電荷保持部ＦＤに転送され、信号電荷が転送された後の電荷保持部ＦＤの信号レベルがＣＤＳ回路２５でサンプリングされる。ここで、図７中の実線の矢印はこのサンプリングのタイミングを表す。そして、ＣＤＳ回路２５でサンプリングされた２つの信号レベルの差分が、水平走査回路２７ｂを介して読み出される。
【００５８】
その後、ｉ行目に配列された各画素２８の第２の選択トランジスタＭｂ２に対する、信号線ＳＥＬ２_ｉを介した選択パルスの印加が解除され、ｉ行目に配列された各画素２８の選択が終了する。この動作が順次1行ずつ行われることで、読み出し２が行われる。読み出し２によって読み出された信号を信号２とする。
【００５９】
上記の読み出し１、読み出し２は、静止画の撮影指示が与えられるまで繰り返される。図５は、読み出し１、読み出し２、読み出し１が順に行われた後に静止画の撮影指示が与えられる場合の動作を示している。
【００６０】
・一括転送１
一括転送１の動作を説明する。一括転送１の動作は、静止画の撮影指示を受けた直後に行われる。図８は、ｉ−１，ｉ，ｉ＋１行目の画素２８の駆動タイミングを表している。ｉ行目に配列された各画素２８の転送トランジスタＭｔｘ１に信号線Ｔｘ１_ｉを介して転送パルスが印加されることで、光電変換部ＰＤに蓄積された信号電荷が電荷保持部ＦＤに転送される。この転送パルスの印加は全行同時に行われる。
【００６１】
・読み出し３
読み出し３の動作を説明する。この動作は、一括転送１の動作が行われた直後に開始される。図９はｉ−１，ｉ，ｉ＋１行目の画素２８の駆動タイミングを表している。ｉ行目に配列された各画素２８の第１の選択トランジスタＭｂ１に信号線ＳＥＬ１_ｉを介して選択パルスが印加されることでｉ行目の各画素２８が選択され、垂直信号線ＶＴＬ１、水平走査回路２７ａを介して、一括転送１の動作が行われた後の電荷保持部ＦＤの信号レベルが読み出される。この動作が順次１行ずつ行われることで、読み出し３が行われる。読み出し３によって読み出された信号を信号３とする。
【００６２】
・読み出し４
読み出し４の動作を説明する。読み出し４の動作は、各画素２８について一括転送１の直前に行われた読み出し１の動作が行われてから時間Ｔｉｎｔ１が経過した後に行われる。図１０はｉ−１，ｉ，ｉ＋１行目の画素の駆動タイミングを表している。ｉ行目に配列された各画素２８が選択された後に電荷保持部ＦＤがリセットされない点、すなわち、ｉ行目に配列された各画素２８の第２の選択トランジスタＭｂ２＿ｉに信号線ＳＥＬ２＿ｉを介して選択パルスが印加された後に、ＦＤリセットトランジスタＭｒに信号線ＲＥＳ＿ｉを介してリセットパルスが印加されない点のみが、図７に示された駆動タイミングと異なるが、他は図７と同様なので説明を省略する。読み出し４によって読み出された信号を信号４とする。
【００６３】
読み出し４では、まず、読み出し１から一括転送１までの間に光電変換部ＰＤに蓄積された信号電荷に対応する信号レベルがＣＤＳ回路２５でサンプリングされる。この時点では、読み出し１から一括転送１までの間に光電変換部ＰＤに蓄積された信号電荷が電荷保持部ＦＤに保持されている。続いて、電荷保持部ＦＤのリセットが行われずに、一括転送１から読み出し４までの間に光電変換部ＰＤに蓄積された信号電荷が光電変換部ＰＤから電荷保持部ＦＤに転送され、電荷保持部ＦＤに保持される。この時点では、読み出し１から一括転送１までの間に光電変換部ＰＤに蓄積された信号電荷に対して、一括転送１から読み出し４までの間に光電変換部ＰＤに蓄積された信号電荷を加えた信号電荷が電荷保持部ＦＤに保持されている。つまり、読み出し１から読み出し４までの間に光電変換部ＰＤに蓄積された信号電荷が電荷保持部ＦＤに保持されている。この信号電荷に対応する信号レベルがＣＤＳ回路２５でサンプリングされる。
【００６４】
ＣＤＳ回路２５は、読み出し１から一括転送１までの間に光電変換部ＰＤに蓄積された信号電荷に対応する信号と、読み出し１から読み出し４までの間に光電変換部ＰＤに蓄積された信号電荷に対応する信号との差分を出力する。つまり、一括転送１から読み出し４までの間に光電変換部ＰＤに蓄積された信号電荷に対応する信号が信号４として読み出される。
【００６５】
・一括転送２
一括転送２の動作を説明する。一括転送２の動作は、一括転送１の動作が行われてから時間Ｔｉｎｔ２が経過した後に行われる。一括転送２の動作の内容については、一括転送１と同様なので説明を省略する。
【００６６】
・読み出し５
読み出し５の動作を説明する。読み出し５の動作は、一括転送２の動作が行われた直後に開始される。読み出し５の動作の内容については、読み出し３と同様なので説明を省略する。読み出し５によって読み出された信号を信号５とする。
【００６７】
読み出し４の動作が行われた後、一括転送２によって、読み出し４から一括転送２までの間に光電変換部ＰＤに蓄積された信号電荷が電荷保持部ＦＤに転送され、電荷保持部ＦＤに保持される。この時点では、読み出し１から読み出し４までの間に光電変換部ＰＤに蓄積された信号電荷に対して、読み出し４から一括転送２までの間に光電変換部ＰＤに蓄積された信号電荷を加えた信号電荷が電荷保持部ＦＤに保持されている。つまり、読み出し１から一括転送２までの間に光電変換部ＰＤに蓄積された信号電荷が電荷保持部ＦＤに保持されている。この信号電荷に対応する信号が信号５として読み出される。
【００６８】
次に、撮像素子２１から読み出された信号１〜５の処理方法を説明する。
【００６９】
信号１は、Ａ／Ｄ変換器２２ａでアナログ信号からデジタル信号に変換され、ノイズ除去部２３ａ中のフレームメモリ２３２に上書き保存される。フレームメモリ２３２への上書き保存は、信号１が読み出されるたびに行われる。
【００７０】
信号２は、Ａ／Ｄ変換器２２ｂでアナログ信号からデジタル信号に変換され、加算器２９に出力される。加算器２９に出力された信号２は、ノイズ除去部２３ａから出力される信号と加算処理はなされず加算器２９からそのまま出力される。加算器２９から出力された信号２は、ライブビュー用出力端子を介して撮像部２ａから出力される。
【００７１】
図１１（ａ）は、信号２に対応する各行の露光期間２を示している。信号２を読み出す読み出し２の動作は、光電変換部ＰＤおよび電荷保持部ＦＤのリセットとリセット信号の読み出しを行う読み出し１の動作が行われてから時間Ｔｉｎｔ１が経過した後に開始される。したがって、信号２は、読み出し１から読み出し２までの間に光電変換部ＰＤに蓄積された信号電荷に対応する信号である。露光期間２はライブビュー撮影の露光期間である。
【００７２】
信号３は、Ａ／Ｄ変換器２２ａでアナログ信号からデジタル信号に変換され、ノイズ除去部２３ａ中の減算器２３１に出力される。減算器２３１は、信号３と、フレームメモリ２３２に保存されているリセット信号である信号１との差分処理を行い、差分処理後の差分信号を加算器２９に出力する。この信号３と信号１の差分信号を信号Ａとする。また、信号Ａが出力されるのと同時に、信号３はフレームメモリ２３２に上書き保存される。
【００７３】
図１１（ｂ）は、信号３に対応する露光期間３を示している。信号３は、読み出し１から一括転送１までの間に光電変換部ＰＤに蓄積された信号電荷（第１の信号電荷）に対応する信号である。信号Ａを読み出した後の処理と信号３を読み出した後の処理は異なるが、信号Ａは信号３とリセット信号との差分であるため、信号Ａと信号３の露光のタイミングは同一である。したがって、信号Ａに対応する露光期間は信号３と同じ図１１（ｂ）で示される。
【００７４】
信号４は、Ａ／Ｄ変換器２２ｂでアナログ信号からデジタル信号に変換され、加算器２９に出力される。加算器２９は、この信号４と、ノイズ除去部２３ａから出力された信号Ａとの加算処理を行い、加算処理後の加算信号を出力する。加算器２９から出力された信号Ａと信号４の加算信号は、ライブビュー用出力端子を介して撮像部２ａから出力される。
【００７５】
図１１（ｃ）は、信号４に対応する露光期間４を示している。前述したように、信号４は、ＣＤＳ回路２５でサンプリングされた、読み出し１から一括転送１までの間に光電変換部ＰＤに蓄積された信号電荷に対応する信号と、読み出し１から読み出し４までの間に光電変換部ＰＤに蓄積された信号との差分である。よって、信号４は、一括転送１から読み出し４までの間に光電変換部ＰＤに蓄積された信号電荷（第２の信号電荷）に対応する信号である。
【００７６】
図１１（ｅ）は、各行の露光期間３と露光期間４を示している。露光期間３と露光期間４を合わせた露光期間に光電変換部ＰＤに蓄積された信号電荷に対応する信号が信号Ａと信号４の加算信号に対応する。また、露光期間３と露光期間４を合わせた露光期間の各画素２８の露光時間はＴｉｎｔ１であり、ライブビュー撮影の露光時間と同じである。したがって、信号Ａと信号４の加算信号はライブビュー用画像信号となる。
【００７７】
信号５は、Ａ／Ｄ変換器２２ａでアナログ信号からデジタル信号に変換され、ノイズ除去部２３ａ中の減算器２３１に出力される。減算器２３１は、この信号５と、フレームメモリ２３２に保存されている信号３との差分処理を行い、差分処理後の差分信号を、静止画用出力端子を介して撮像部２ａから出力する。
【００７８】
図１１（ｄ）は、信号５に対応する露光期間５を示している。前述したように、信号５は、読み出し１から一括転送２までの間に光電変換部ＰＤに蓄積された信号電荷（第３の信号電荷）に対応する信号である。
【００７９】
図１１（ｆ）は、各行の静止画撮影の露光期間を示している。露光期間５（図１１（ｄ））と露光期間３（図１１（ｂ））の差分の露光期間は静止画撮影の露光期間であり、この露光期間に対応する信号は信号５と信号３の差分信号である。したがって、信号５と信号３の差分信号は静止画用画像信号である。
【００８０】
［効果］
上述したように本実施形態では、ライブビュー撮影の露光開始時刻から静止画撮影の露光開始時刻までの間に光電変換部ＰＤに蓄積された信号電荷に対応する信号Ａと、静止画の撮影開始時刻からライブビュー撮影の露光終了時刻までの間に光電変換部ＰＤに蓄積された信号電荷に対応する信号４とを加算することで、ライブビュー用画像信号を得ることが可能となる。これにより、ライブビュー撮影の露光期間中に静止画撮影の露光が開始された場合でも、ライブビュー用画像信号を得ることが可能となり、像消失期間を短縮することができる。また、本実施形態では、ライブビュー撮影の露光期間中に静止画撮影の撮影指示が与えられた場合でも、すぐに静止画撮影の露光を行うことが可能なので、レリーズタイムラグを短縮することができる。
【００８１】
（第２の実施形態）  
［構成］
次に、本発明の第２の実施形態を説明する。本実施形態による撮像装置の構成は、図１に示した構成と同様である。ただし、本実施形態による撮像装置の構成は、図１における撮像部２ａを、図１２に示す撮像部２ｂに置き換えた構成となる。図１２に示す撮像部２ｂの構成は、図２に示したノイズ除去部２３ａをノイズ除去部２３ｂに置き換えた構成となる。図１３は、本実施形態におけるノイズ除去部２３ｂの構成を示している。図１３に示すノイズ除去部２３ｂの構成は、図４に示したノイズ除去部２３ａの構成にフレームメモリ２３３を追加した構成となる。上記以外の構成については、第１の実施形態と同様である。
【００８２】
［駆動］
次に、図１４を用いて、本実施形態における撮像装置の駆動方法を説明する。本実施形態の撮像素子２１内での動作について、読み出し１〜読み出し５の動作、および、一括転送１，２の動作は、第１の実施形態で図５〜図１０を用いて説明した動作と同様であり、読み出し６、読み出し７が追加されている点が第１の実施形態と異なる。撮像素子２１から信号を読み出す動作については、読み出し６、読み出し７についてのみ説明する。
【００８３】
・読み出し６
読み出し６の動作を説明する。読み出し６の動作は、各画素２８について、読み出し４の動作が行われた後に開始される。ただし、後に説明するように、読み出し６の動作によって開始されるライブビュー撮影用の露光期間内に静止画の露光終了時刻が含まれるため、ここでの読み出し６の動作は、読み出し６の動作の開始から一括転送２の動作の開始までの時間がライブビュー撮影の露光時間（Ｔｉｎｔ１）よりも短くなるようなタイミングで開始される。
【００８４】
図１５を用いて、ｉ行目で読み出し６を行なう期間Ｔ８の駆動タイミングを説明する。図１５は、ｉ−１，ｉ，ｉ＋１行目の画素での駆動タイミングを示している。
【００８５】
ｉ行目に配列された各画素２８の転送トランジスタＭｔｘ１に信号線Ｔｘ１＿ｉを介して転送パルスが印加されることで、ｉ行目に配列された各画素２８の光電変換部ＰＤに蓄積された信号電荷が電荷保持部ＦＤに転送される。その後、ｉ行目に配列された各画素２８の第１の選択トランジスタＭｂ１に信号線ＳＥＬ１＿ｉを介して選択パルスが印加されることで、ｉ行目に配列された各画素２８が選択され、各画素２８内の電荷保持部ＦＤの信号レベルが、垂直信号線ＶＴＬ１、水平走査回路２７ａを介して読み出される。この動作が順次１行ずつ行われることで、読み出し６が行われる。読み出し６によって読み出された信号を信号６とする。
【００８６】
読み出し４の動作が行われた後、読み出し６の動作が開始され、読み出し４から読み出し６までの間に光電変換部ＰＤに蓄積された信号電荷が電荷保持部ＦＤに転送され、電荷保持部ＦＤに保持される。この時点では、読み出し１から読み出し４までの間に光電変換部ＰＤに蓄積された信号電荷に対して、読み出し４から読み出し６までの間に光電変換部ＰＤに蓄積された信号電荷を加えた信号電荷が電荷保持部ＦＤに保持されている。つまり、読み出し１から読み出し６までの間に光電変換部ＰＤに蓄積された信号電荷が電荷保持部ＦＤに保持されている。この信号電荷に対応する信号が信号６として読み出される。
【００８７】
・読み出し７
読み出し７の動作を説明する。読み出し７の動作は、各画素２８について、読み出し６の動作が開始されてから時間Ｔｉｎｔ１が経過した後に行われる。動作の内容については、読み出し２と同様なので説明を省略する。読み出し７によって読み出された信号を信号７とする。
【００８８】
読み出し７では、リセット後の電荷保持部ＦＤの信号レベルがＣＤＳ回路２５でサンプリングされる。続いて、一括転送２から読み出し７までの間に光電変換部ＰＤに蓄積された信号電荷が光電変換部ＰＤから電荷保持部ＦＤに転送され、電荷保持部ＦＤに保持される。この信号電荷に対応する信号レベルがＣＤＳ回路２５でサンプリングされる。ＣＤＳ回路２５は、サンプリングした２つの信号の差分を出力する。つまり、一括転送２から読み出し７までの間に光電変換部ＰＤに蓄積された信号電荷に対応する信号が信号７として読み出される。
【００８９】
撮像素子２１から読み出された信号の処理については、信号５、信号６、信号７の処理が第１の実施形態と異なる。以下では、第１の実施形態と異なる点のみについて説明する。信号１〜４の処理方法は第１の実施形態と同様なので説明を省略する。
【００９０】
信号６は、Ａ／Ｄ変換器２２ａでアナログ信号からデジタル信号に変換され、ノイズ除去部２３ｂのフレームメモリ２３３に上書き保存される。図１６（ａ）は、信号６に対応する各行の露光期間６を示している。前述したように、信号６は、読み出し１から読み出し６までの間に光電変換部ＰＤに蓄積された信号電荷（第４の信号電荷）に対応する信号である。
【００９１】
信号５は、Ａ／Ｄ変換器２２ｂでアナログ信号からデジタル信号に変換され、ノイズ除去部２３ｂ中の減算器２３１に出力される。減算器２３１は、信号５と、フレームメモリ２３３に保存されている信号６との差分処理を行い、差分処理後の差分信号を加算器２９に出力する。この信号６と信号５の差分信号を信号Ｂとする。
【００９２】
図１６（ｂ）は、信号５に対応する各行の露光期間５を示している。前述したように、信号５は、読み出し１から一括転送２までの間に光電変換部ＰＤに蓄積された信号電荷に対応する。図１６（ｄ）は、信号Ｂに対応する各行の露光期間Ｂを示している。信号５と信号６の差分信号が信号Ｂであるため、信号Ｂは、読み出し６から一括転送２までの間に光電変換部ＰＤに蓄積された信号電荷（第１の信号電荷）に対応する信号である。露光期間Ｂは露光期間５と露光期間６の差分であり、読み出し６から一括転送２までの期間である。
【００９３】
信号７は、Ａ／Ｄ変換器２２ｂでアナログ信号からデジタル信号に変換され、加算器２９に出力される。加算器２９は、信号７と、ノイズ除去部２３ｂから出力された信号Ｂとの加算処理を行い、加算処理後の加算信号を出力する。加算器２９から出力された信号Ｂと信号７の加算信号は、ライブビュー用出力端子を介して撮像部２ｂから出力される。
【００９４】
図１６（ｃ）は、信号７に対応する各行の露光期間７を示している。前述したように、信号７は、ＣＤＳ回路２５でサンプリングされた、リセット信号と、一括転送２から読み出し７までの間に光電変換部ＰＤに蓄積された信号電荷に対応する信号との差分である。よって、信号７は、一括転送２から読み出し７までの間に光電変換部ＰＤに蓄積された信号電荷（第２の信号電荷）に対応する信号である。
【００９５】
図１６（ｅ）は、各行の露光期間Ｂと露光期間７を示している。露光期間Ｂと露光期間７を合わせた露光期間に光電変換部ＰＤで蓄積された信号電荷に対応する信号は信号Ｂと信号７の加算信号に対応する。また、露光期間Ｂと露光期間７を合わせた露光期間の各画素２８の露光時間はＴｉｎｔ１であり、ライブビュー撮影の露光時間と同じである。したがって、信号Ｂと信号７の加算信号はライブビュー用画像信号となる。
【００９６】
［効果］
上述したように本実施形態では、ノイズ除去部２３ｂ内にフレームメモリ２３３を追加することで、撮像素子２１から読み出された信号２と信号６を同時にノイズ除去部２３ｂ内に保存することが可能となる。これにより、信号５と信号２の差分を静止画用画像信号として得るとともに、信号５と信号６の差分を、ライブビュー撮影の露光開始時刻から静止画撮影の露光終了時刻までに光電変換部ＰＤに蓄積された信号電荷に対応する信号Ｂとして得ることが可能となる。信号Ｂと、静止画撮影の露光終了時刻からライブビュー撮影の露光終了時刻までの露光期間に対応する信号７とを加算処理することで、ライブビュー用画像信号を得ることが可能となる。このようにして、第１の実施形態で行った静止画撮影の露光開始時刻を露光期間内に含むライブビュー用画像信号を得ることに加え、第２の実施形態では静止画撮影の露光終了時刻を露光期間内に含むライブビュー用画像信号を得ることが可能となり、像消失期間を第１の実施形態よりも短くすることができる。
【００９７】
なお、第１の実施形態、および、第２の実施形態における具体的な構成および駆動は、本発明を実施するための形態に限定されるものではなく、本発明の趣旨を逸脱しない範囲において種々の変更を施すことができる。例えば、上記の各実施形態では、簡易的に静止画用画像信号を読み出す画素の行数とライブビュー用画像信号を読み出す画素の行数を同じとしたが、静止画用画像信号を読み出す画素の行数がライブビュー用画像信号を読み出す画素の行数より多くてもよい。
【符号の説明】
【００９８】
１・・・レンズ、２ａ，２ｂ・・・撮像部、３・・・画像処理部、３ａ・・・第１画像処理部、３ｂ・・・第２画像処理部、４・・・ＡＦ評価値演算部、５・・・表示部、９・・・駆動制御部、１０・・・ＡＦ制御部、１１・・・カメラ操作部、１２・・・カメラ制御部、２１・・・撮像素子、２２ａ・・・Ａ／Ｄ変換器、２２ｂ・・・Ａ／Ｄ変換器、２３ａ，２３ｂ・・・ノイズ除去部、２４・・・画素部、２８・・・画素、２９・・・加算器、２５・・・ＣＤＳ回路、２６・・・垂直制御回路、２７ａ，２７ｂ・・・水平走査回路、２３１・・・減算器、２３２，２３３・・・フレームメモリ、ＰＤ・・・光電変換部、ＦＤ・・・電荷保持部、Ｍｔｘ２・・・ＰＤ排出トランジスタ、Ｍｔｘ１・・・転送トランジスタ、Ｍａ・・・増幅用トランジスタ、Ｍｂ１，Ｍｂ２・・・選択トランジスタ、Ｍｒ・・・ＦＤリセットトランジスタ
【図１】
2012175331.tif 000003
【図２】
2012175331.tif 000004
【図３】
2012175331.tif 000005
【図４】
2012175331.tif 000006
【図５】
2012175331.tif 000007
【図６】
2012175331.tif 000008
【図７】
2012175331.tif 000009
【図８】
2012175331.tif 000010
【図９】
2012175331.tif 000011
【図１０】
2012175331.tif 000012
【図１１】
2012175331.tif 000013
【図１２】
2012175331.tif 000014
【図１３】
2012175331.tif 000015
【図１４】
2012175331.tif 000016
【図１５】
2012175331.tif 000017
【図１６】
2012175331.tif 000018
【図１７】
2012175331.tif 000019
【図１８】
2012175331.tif 000020
【図１９】
2012175331.tif 000021